(57)【要約】【課題】温度フューズの取り付けが容易で信頼性の高い端子台の提供を目的とする。【解決手段】複数のターミナル端子を有する端子台であって、少なくとも１つ以上のターミナル端子は温度フューズを設置するためのフューズ設置部を有し、前記端子台は温度フューズを接続する接続ターミナルを装着するためのターミナル装着部を有し、温度フューズを前記フューズ設置部に設置し、前記ターミナル装着部に接続ターミナルを装着し前記温度フューズのリード線又はケーブルの芯線を接続ターミナルに設けた弾性接続部に挿入結線可能であることを特徴とする。【選択図】  図１
2016201248.tif 000002
【特許請求の範囲】
【請求項１】
複数のターミナル端子を有する端子台であって、
少なくとも１つ以上のターミナル端子は温度フューズを設置するためのフューズ設置部を有し、
前記端子台は温度フューズを接続する接続ターミナルを装着するためのターミナル装着部を有し、
温度フューズを前記フューズ設置部に設置し、
前記ターミナル装着部に接続ターミナルを装着し、
前記温度フューズのリード線又はケーブルの芯線を接続ターミナルに設けた弾性接続部に挿入結線可能であることを特徴とする端子台。
【請求項２】
前記複数のターミナル端子はそれぞれフューズ設置部を有するとともに、ハウジング内に収容してあり、
前記ハウジングはターミナル装着部を有し、
任意のフューズ設置部に温度フューズを設置し、前記ハウジングのターミナル装着部に接続ターミナルを装着し、前記温度フューズを接続ターミナルを介して制御部と配線接続可能にしたことを特徴とする請求項１記載の端子台。
【請求項３】
前記複数のターミナル端子はそれぞれが単独のハウジング内に収容してあり、
前記各ハウジングは相互に連結可能であるとともにそれぞれがターミナル装着部を有し、
任意のフューズ設置部に温度フューズを設置し、
任意のターミナル装着部に接続ターミナルを装着し、
前記温度フューズを接続ターミナルを介して制御部と配線接続可能にしたことを特徴とする請求項２記載の端子台。
【発明の詳細な説明】
【技術分野】
【０００１】
本発明は、温度の過上昇を検知し、回路の遮断を可能にした例えば電源ケーブル等の端子台に関する。
【背景技術】
【０００２】
例えば、ソーラーシステムにおけるパワーコンデイション等の電源ケーブル用端子台の分野では、従来電源ケーブルに丸型端子を圧着した後に、図７に示すように端子台１１０にネジ１２０で固定することが一般的に行われている。
このような端子台に温度フューズを設置する場合、温度フューズ１０１のリード線１０１ａ，１０１ｂ及びコネクタ１０３を加締め端子１０２等にて加締め結線し、端子台に接着固定し、さらにカバー部材１１０ａにて覆うことが行われていた。
これでは結線作業や接着作業等に多くの工数がかかり、作業性が悪く高コストの原因にもなっていた。
例えば、特許文献１には分電盤内にＭＣＣＢ端子と電源側端子との締め付け不足によって生ずる発熱を検知するのに温度フューズを、端子近くの絶縁外被の外側にそれぞれ板ばねを用いて取り付ける構造を開示する。
しかし、この場合も結線作業が大変である。
【先行技術文献】
【特許文献】
【０００３】
【特許文献１】特開平５−１５９１８０号公報
【発明の概要】
【発明が解決しようとする課題】
【０００４】
本発明は、温度フューズの取り付けが容易で信頼性の高い端子台の提供を目的とする。
【課題を解決するための手段】
【０００５】
本発明は、複数のターミナル端子を有する端子台であって、少なくとも１つ以上のターミナル端子は温度フューズを設置するためのフューズ設置部を有し、前記端子台は温度フューズを接続する接続ターミナルを装着するためのターミナル装着部を有し、温度フューズを前記フューズ設置部に設置し、前記ターミナル装着部に接続ターミナルを装着し
前記温度フューズのリード線又はケーブルの芯線を接続ターミナルに設けた弾性接続部に挿入結線可能であることを特徴とする。
これにより、温度フューズをターミナル端子のフューズ設置部に取り付け、この温度フューズのリード線又はケーブルの芯線を端子台に取り付けた接続ターミナルに挿入（差し込み）するだけで結線ができる。
【０００６】
本発明において、複数のターミナル端子はそれぞれフューズ設置部を有するとともに、ハウジング内に収容してあり、前記ハウジングはターミナル装着部を有し、任意のフューズ設置部に温度フューズを設置し、前記ハウジングのターミナル装着部に接続ターミナルを装着し、前記温度フューズを接続ターミナルを介して制御部と配線接続可能にしてもよい。
このようにすると、端子台に結線する電源ケーブルの仕様や種類に合せつつ、温度フューズを任意のターミナル端子に取り付けることができる。
【０００７】
本発明は、端子台の端子数にも自由度を付加する目的で請求項２の端子台において、複数のターミナル端子はそれぞれが単独のハウジング内に収容してあり、前記各ハウジングは相互に連結可能であるとともにそれぞれがターミナル装着部を有し、任意のフューズ設置部に温度フューズを設置し、任意のターミナル装着部に接続ターミナルを装着し、前記温度フューズを接続ターミナルを介して制御部と配線接続可能にしてもよい。
【発明の効果】
【０００８】
本発明に係る端子台は、ターミナル端子に設けたフューズ設置部に温度フューズを設置，取り付け，ハウジングに設けたターミナル装着部に弾性接続部を有する接続ターミナルを装着し、この接続ターミナルにリード線又はケーブルの芯線の先を挿入接続するだけで結線できるので現地での結線作業が容易である。
【図面の簡単な説明】
【０００９】
【図１】本発明に係る端子台の構造例を示し、（ａ）は温度フューズの結線例、（ｂ）はハウジングの連結例、（ｃ）は端子台に温度フューズを配置した例を示す。
【図２】ハウジングの構造例を示し、（ａ）は温度フューズ及び接続ターミナルを取り付ける前、（ｂ）はその取り付け後の状態を示す。
【図３】温度フューズ、接続ターミナルと、ターミナル端子及びハウジングとの位置関係を示し、（ａ）はターミナル端子の設置部、（ｂ），（ｃ）はハウジングと接続ターミナル，温度フューズの位置関係を示す。
【図４】電源ケーブルの電気接続構造例を示し、（ａ）は弾性部材の係止部を開放し、電源ケーブルの芯線を差し込んだ状態、（ｂ）はスライダーを押し込み、結線した状態を示す。
【図５】接続ターミナルの構造例を示す。
【図６】（ａ）はハウジング、（ｂ）はこのハウジングの連結状態を示す。
【図７】（ａ）〜（ｃ）は従来の端子台及び温度フューズの結線例を示す。
【発明を実施するための形態】
【００１０】
本発明に係る端子台の構造例を以下図面に基づいて説明するが、本発明はこれに限定されない。
【００１１】
図１は、５個のハウジング１０を連結した端子台の例を示し、３ヶ所に温度フューズ１を設置した例である。
温度フューズ１及び接続ターミナル２は、図２，３に示すようにターミナル端子２０のフューズ設置部２１に温度フューズ１を取り付け、接続ターミナル２をハウジング１０のターミナル装着部１１ａ，１１ｂに装着した後に結線してもよいが、図１では温度フューズ１，接続ターミナル２及びコネクタ３の結線例がわかりやすいように予め結線した状態として示した。
【００１２】
個々のハウジング１０には、図２，３に示すようにターミナル端子２０，弾性部材３０及びスライダー４０が装着されている。
本実施例は、ターミナル端子２０と弾性部材３０にて図４に示すように電源ケーブル７の芯線７ａを弾性挟持する例になっているが、本発明はターミナル端子２０に温度フューズ設置部２１を形成したものであれば、電源ケーブル等の接続構造に制限はない。
各ハウジング１０は樹脂成型品であり、接続ターミナル２０を装着するための凹部状のターミナル装着部１１ａ，１１ｂを２ヶ所に設けてある。
また、各ハウジング１０は相互に連結可能になっている。
本実施例では、ハウジング１０の両側の側部のうち、一方の下端部に溝状の連結凹部１１を形成し、他方の下端部にレール状の連結凸部を形成することで、他のハウジングと連結可能になっている。
また、連結安定性を考慮し、ハウジング１０の一方の側部上端部に凸部１２ａを下端部の連結凹部１１に対向して設け、他方の側部の上端部に凹部１１ａを下端部の連結凸部に対向して形成してある。
ハウジング１０の連結凹部１１の端部に当接突部１３ａを形成し、これと前後方向に対向するように爪状の連結係止部１３を形成し、他方の段差状の被係止部１４にこの連結係止部１３が係止することで、ハウジングの連結状態がロックされている。
これにより、図１，図６に示すように複数のハウジング１０を連結することで、任意の数のターミナル端子を有する端子台が得られる。
【００１３】
次に、電源ケーブル７等の接続構造例について説明する。
ハウジング１０内には、図５に示したようなターミナル端子２０と弾性部材３０と組み合せて収容し、スライド自在にスライダー４０が収容されている。
ターミナル端子２０は、ベース部２０ａから略直角方向に立設した接続壁２２を設け、この接続壁２２の外側（裏面側）に図３に示したような略コ字形状のリブ２１ａをプレス等にて形成し、温度フューズ１の設置部２１を設けてある。
電源ケーブル７の芯線７ａがターミナル端子２０に挿入接続可能になるように、ベース部２０ａの裏面に重なるように弾性部材３０の基部を配置し、この基部から折り返して曲面形状の被押圧部３１を下方に突出させて形成し、さらにその先端側を上方に折り返し、係止部３２を形成してある。
係止部３２は開口部３３を有し、ターミナル端子２０のベース部２０ａに挿入載置した芯線７ａを上側から係止する係止片部３２ａを設けてある。
また、接続壁２２に対向して曲面状の弾性接触部３４を弾性部材３０の基部から立設形成してあり、芯線７ａを弾性接触部３４が接続壁２２に向けて付勢する。
本実施例では、スライダー４０に突部４１を形成し、スライダー４０をハウジング１０の外方に引き出すと、図４（ａ）に示すように突部４１が弾性部材３０の被押圧部３１を下側から押し上げ、係止部の係止片部３２ａが上昇し開放状態になり、この状態でハウジング１０の接続孔１５からケーブルを差し込み、次にこのスライダーを押し込むと図４（ｂ）に示すように係止部３２が弾性復帰し、芯線７ａを係止片部３２ａにより係止する例となっている。
【００１４】
接続ターミナル２の構造例を図５に示す。
弾性材を箱形に折り曲げ、その一方の先端部をさらに内側方向に折り返すことで弾性片２ｃを形成してある。
弾性片２ｃに向けて温度フューズ１のリード線４ａ，４ｂや、ケーブル５の先端部を差し込むことができるように、この弾性片２ｃを形成した折り曲げ部２ｂ側の側壁に挿入孔２ａを形成し、その内側に一対のガイド部２ｄを立設してある。
これにより、リード線やケーブルの芯線の先を挿入孔２ａからガイド部２ｄ，２ｄの間に挿入すると、箱形した面の内面と弾性片２ｃとの間にこの芯線等が弾性挟持接続される。
なお、芯線がより線の場合には、ハンダ等にて先端処理するのが好ましい。
これにより、図１に示すように端子台を構成する任意のハウジングのターミナル端子に設けたフューズ設置部２１に温度フューズ１を設置し、任意のターミナル装着部１１ａ，１１ｂに接続ターミナル２を装着し、それらをリード線４ａ，４ｂ、ケーブル５及びコネクタ３のケーブル等の先を接続ターミナルに挿入接続するだけで結線が可能になる。
【符号の説明】
【００１５】
１        温度フューズ
２        接続ターミナル
１０      ハウジング
１１      連結凹部
１１ａ    ターミナル装着部
１２      連結凸部
１３      連結係止部
１４      被係止部
２０      ターミナル端子
２１      フューズ設置部
【図１】
2016201248.tif 000003
【図２】
2016201248.tif 000004
【図３】
2016201248.tif 000005
【図４】
2016201248.tif 000006
【図５】
2016201248.tif 000007
【図６】
2016201248.tif 000008
【図７】
2016201248.tif 000009
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
複数のターミナル端子を有する端子台であって、
少なくとも１つ以上のターミナル端子は温度フューズを設置するためのフューズ設置部を有し、
前記端子台は温度フューズを接続する接続ターミナルを装着するためのターミナル装着部を有し、
温度フューズを前記フューズ設置部に設置し、
前記ターミナル装着部に接続ターミナルを装着し、
前記温度フューズのリード線又はケーブルの芯線を接続ターミナルに設けた弾性挟持接続部に挿入結線可能であることを特徴とする端子台。
【請求項２】
前記複数のターミナル端子はそれぞれフューズ設置部を有するとともに、ハウジング内に収容してあり、
前記ハウジングはターミナル装着部を有し、
任意のフューズ設置部に温度フューズを設置し、前記ハウジングのターミナル装着部に接続ターミナルを装着し、前記温度フューズを接続ターミナルを介して制御部と配線接続可能にしたことを特徴とする請求項１記載の端子台。
【請求項３】
前記複数のターミナル端子はそれぞれが単独のハウジング内に収容してあり、
前記各ハウジングは相互に連結可能であるとともにそれぞれがターミナル装着部を有し、
任意のフューズ設置部に温度フューズを設置し、
任意のターミナル装着部に接続ターミナルを装着し、
前記温度フューズを接続ターミナルを介して制御部と配線接続可能にしたことを特徴とする請求項２記載の端子台。
【手続補正２】
【補正対象書類名】明細書
【補正対象項目名】０００５
【補正方法】変更
【補正の内容】
【０００５】
本発明は、複数のターミナル端子を有する端子台であって、少なくとも１つ以上のターミナル端子は温度フューズを設置するためのフューズ設置部を有し、前記端子台は温度フューズを接続する接続ターミナルを装着するためのターミナル装着部を有し、温度フューズを前記フューズ設置部に設置し、前記ターミナル装着部に接続ターミナルを装着し、前記温度フューズのリード線又はケーブルの芯線を接続ターミナルに設けた弾性挟持接続部に挿入結線可能であることを特徴とする。
これにより、温度フューズをターミナル端子のフューズ設置部に取り付け、この温度フューズのリード線又はケーブルの芯線を端子台に取り付けた接続ターミナルに挿入（差し込み）するだけで結線ができる。